【事件の表示】
　特願２００６−２２４６００「照明輝度色彩管理システム及びそのための方法」拒絶査定不服審判事件〔平成１９年　６月２１日出願公開、特開２００７−１５７６８８〕について、次のとおり審決する。
【結　論】
　本件審判の請求は、成り立たない。
【理　由】
第１．手続の経緯 
　本願は，平成１８年８月２１日（パリ条約による優先権主張２００５年１２月７日，台湾）の出願であって，平成２２年４月５日付けで拒絶査定がなされ，これに対し，同年８月５日に拒絶査定不服審判の請求がなされると同時に特許請求の範囲を対象とする手続補正がなされたものである。
　
第２．平成２２年８月５日付けの手続補正についての却下の決定
〔補正の却下の決定の結論〕
　平成２２年８月５日付けの手続補正（以下，「本件補正」という。）を却下する。
　
〔理由〕
１．本件補正の概要
　本件補正は，平成２２年１月２６日付けで補正された特許請求の範囲をさらに補正するもので，補正前に
　「【請求項１】目標輝度／色値に従って点光源の照明輝度を調節するための照明輝度色彩管理システムであって，該点光源の制御タイミング及びサンプリングタイミングを調整し，各制御タイミングが異なる複数の制御タイミングを生成するためのタイミングサンプリングコントローラと，該対応する点光源を駆動するために各制御タイミングに応えて駆動電流を発生させ，したがって該点光源が別のときに発光するための光源ドライバと，該サンプリングタイミングに応えて光度信号値のために特定のときに発光する該点光源を感知し，サンプリングするための，単一の広帯域光源モニタと，該輝度／色値と光度信号値の間の該差異に従って訂正済みの電流値を計算し，取得するための計算装置と，該訂正済みの電流に従って該光源ドライバにより発生する該駆動電流を調節するための電流調節器と，外部同期信号を受信し，該タイミングサンプリングコントローラと該計算装置を同期させるための同期装置と，を備える照明輝度色彩管理システム。
　【請求項２】該光度信号値を該計算装置に出力されるデジタル信号に変換するためにアナログ／デジタル変換器をさらに備える，請求項１に記載の照明輝度色彩管理システム。
　【請求項３】該広帯域光源モニタが，該光度信号値のための該点光源を感知するために広帯域フォトセンサをさらに備える，請求項１に記載の照明輝度色彩管理システム。
　【請求項４】該広帯域フォトセンサが該駆動された点光源の該応答スペクトルをカバーできる，請求項１に記載の照明輝度色彩管理システム。
　【請求項５】該点光源が少なくとも赤の光源と，緑の光源と，青の光源とを備える，請求項１に記載の照明輝度色彩管理システム。
　【請求項６】外部同期信号によって，制御タイミング及びサンプリングタイミングを設定し，単一広帯域フォトセンサで点光源を感知し，該点光源の該照明輝度をフィードバック制御するための照明輝度色彩管理方法であって，該点光源を駆動し，別のときに発光するために該制御タイミングに応えて駆動電流を発生することと，該サンプリングタイミングに応えて光度信号値のために特定のときに発光する該点光源を感知し，サンプリングすることと，訂正済みの電流値を取得するために該光度信号値及び目標輝度／色値を計算することと，該照明輝度を調節するために該訂正済みの電流値に従って該駆動電流を訂正することと，を備える，照明輝度色彩管理方法。
　【請求項７】該点光源が少なくとも赤の光源と，緑の光源と，青の光源とを備える，請求項６に記載の照明輝度色彩管理方法。
　【請求項８】該広帯域フォトセンサが該駆動された光源の該応答スペクトルをカバーできる，請求項６に記載の照明輝度色彩管理方法。」
とあるのを，次のとおりに補正するものである。
　
　「【請求項１】目標輝度／色値に従って点光源の照明輝度を調節するための照明輝度色彩管理システムであって，該点光源の制御タイミング及びサンプリングタイミングを調整し，各制御タイミングが異なる複数の制御タイミングを生成するためのタイミングサンプリングコントローラと，該対応する点光源を駆動するために各制御タイミングに応えて駆動電流を発生させ，したがって該点光源が別のときに発光するための光源ドライバと，該サンプリングタイミングに応えて光度信号値のために特定のときに発光する該点光源を感知し，サンプリングするための広帯域光源モニタと，
発光するために多様な波長で点光源を順次駆動することと，検知器によって多様な波長の点光源の光源信号輝度値及び色成分値を測定することと，単一広帯域光源モニタの感知電圧値を得ることと，単一広帯域光源モニタの利得応答値及び色成分値を計算することと，該利得応答値及び色成分値を記憶させるステップを含む校正プロセスを実施するための計算装置と，
目標
外部同期信号を受信し，該タイミングサンプリングコントローラと該計算装置を同期させるための同期装置と，
　【請求項２】該光度信号値を該計算装置に出力されるデジタル信号に変換するためにアナログ／デジタル変換器をさらに備える，請求項１に記載の照明輝度色彩管理システム。
　【請求項３】該広帯域光源モニタが，該光度信号値のための該点光源を感知するために広帯域フォトセンサをさらに備え
，該計算装置が該広帯域フォトセンサの感知電圧値を取得す
　【請求項４】該広帯域フォトセンサが該駆動された点光源の該応答スペクトルをカバーできる，請求項１に記載の照明輝度色彩管理システム。
　【請求項５】該点光源が少なくとも赤の光源と，緑の光源と，青の光源とを備える，請求項１に記載の照明輝度色彩管理システム。
　【請求項６】
該単一広帯域光源モニタが赤の光源と，緑の光源と，青の光源との幾何学的中心に配置されていない，請求項１に記載の照明輝度色彩管理システム
　【請求項７】
該単一広帯域光源モニタ及び点光源が，二つの基板に個別に配置される，請求項１に記載の照明輝度色彩管理システム
　【請求項８】外部同期信号によって，制御タイミング及びサンプリングタイミングを設定し，単一広帯域フォトセンサで点光源を感知し，該点光源の該照明輝度をフィードバック制御するための照明輝度色彩管理方法であって，
発光するために多様な波長で点光源を順次駆動することと，検知器によって多様な波長の点光源の光源信号輝度値及び色成分値を測定することと，単一広帯域光源モニタの感知電圧値を得ることと，単一広帯域光源モニタの利得応答値及び色成分値を計算することと，該利得応答値及び色成分値を記憶させるステップを含む校正プロセスを実施することと，
　【請求項９】該点光源が少なくとも赤の光源と，緑の光源と，青の光源とを備える，請求項８に記載の照明輝度色彩管理方法。
　【請求項１０】
該単一広帯域光源モニタが赤の光源と，緑の光源と，青の光源との幾何学的中心に配置されていない，請求項９に記載の照明輝度色彩管理システム
　【請求項１１】該広帯域フォトセンサが該駆動された光源の該応答スペクトルをカバーできる，請求項８に記載の照明輝度色彩管理方法。
　【請求項１２】
該単一広帯域光源モニタ及び点光源が，二つの基板に個別に配置される，請求項８に記載の照明輝度色彩管理方法。
　
２．新規事項
　補正後の請求項６及び請求項１０に記載された発明特定事項である「単一広帯域光源モニタが赤の光源と，緑の光源と，青の光源との幾何学的中心に配置されていない」点，及び補正後の請求項７及び請求項１２に記載された発明特定事項である「単一広帯域光源モニタ及び点光源が，二つの基板に個別に配置される」点は，願書に最初に添付した明細書，特許請求の範囲又は図面に何ら記載されておらず，また，これらの記載から自明な事項であるともいえない。
　したがって，本件補正は，願書に最初に添付した明細書，特許請求の範囲又は図面に記載した事項の範囲内においてしたものではなく，特許法第１７条の２第３項の規定に違反する。
　
３．目的要件
　補正後の請求項１ないし請求項５が補正前の請求項１ないし請求項５に対応すること，補正後の請求項８，請求項９，請求項１１がそれぞれ補正前の請求項６，請求項７，請求項８項に対応することは明らかである。
　一方，補正後の請求項６，請求項７，請求項１０及び請求項１２は，新たに追加された請求項であり，これらは，択一的な記載を伴う請求項を複数の請求項に分割することによって形式的に増えた請求項でもなく，本件補正は，請求項の数を実質的に増加させるものである。
　したがって，本件補正は，特許請求の範囲の減縮を目的とするものではない。また，本件補正が誤記の訂正や明りょうでない記載の釈明を目的とするものでないことは明らかである。本件補正は，平成１８年法律第５５号改正附則第３条第１項によりなお従前の例によるとされる同法による改正前の特許法第１７条の２第４項の規定に違反する。
　
４．むすび
　以上のとおりであるから，本件補正は，特許法第１７条の２第３項の規定に違反するほか，平成１８年法律第５５号改正附則第３条第１項によりなお従前の例によるとされる同法による改正前の特許法第１７条の２第４項の規定に違反するので，同法第１５９条第１項の規定において読み替えて準用する同法第５３条第１項の規定により却下すべきものである。
　
第３．本願発明
　本件補正は，上記のとおり却下されたので，本願の請求項１に係る発明は，平成２２年１月２６日付けの手続補正書により補正された特許請求の範囲の請求項１に記載された事項により特定される次のとおりのものである（以下，「本願発明」という。）。
　
　「目標輝度／色値に従って点光源の照明輝度を調節するための照明輝度色彩管理システムであって，該点光源の制御タイミング及びサンプリングタイミングを調整し，各制御タイミングが異なる複数の制御タイミングを生成するためのタイミングサンプリングコントローラと，該対応する点光源を駆動するために各制御タイミングに応えて駆動電流を発生させ，したがって該点光源が別のときに発光するための光源ドライバと，該サンプリングタイミングに応えて光度信号値のために特定のときに発光する該点光源を感知し，サンプリングするための，単一の広帯域光源モニタと，該輝度／色値と光度信号値の間の該差異に従って訂正済みの電流値を計算し，取得するための計算装置と，該訂正済みの電流に従って該光源ドライバにより発生する該駆動電流を調節するための電流調節器と，外部同期信号を受信し，該タイミングサンプリングコントローラと該計算装置を同期させるための同期装置と，を備える照明輝度色彩管理システム。」
　
第４．原査定
　原査定における拒絶の理由は，以下のとおりのものと認める。
　「この出願の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　１．特開２００４−２３５６１１号公報
　２．特開平７−１４２１７８号公報
　３．特開２００４−２５３３０９号公報」
　上記刊行物のうち，特開２００４−２３５６１１号公報を，以下，「引用例１」といい，特開平７−１４２１７８号公報を，以下，「引用例２」という。
　
第５．引用刊行物
１．原査定の理由に引用され，本願の出願日（優先日）前に頒布された刊行物である引用例１には，図面とともに次の事項が記載されている。
　１ａ）「【０００１】
　この発明は，発光装置に関し，複数個の発光素子（ＬＥＤ）特に，赤色（Ｒ），緑色（Ｇ），青色（Ｂ）の３つのＬＥＤを用いて，所定の色の光，例えば，白色光を生成する発光装置に関する。」
　
　１ｂ）「【０００４】
　所望の色光源を３原色のＬＥＤで作る場合，その色の表示品質を維持し色ずれを防止するためには，各ＬＥＤの色彩，色バランス，光強度が重要な要素となり，特に，各色の光強度比により色合いが決定される。
　Ｒ，Ｇ，Ｂの各ＬＥＤ素子は完全に設計値どうりに作成することは困難であり，同じ色のＬＥＤを複数個用いる場合や多数の異なるＬＥＤを用いて同じ色調の発光色を生成する場合は，個々の製品ごとに色バランスにばらつきが発生していた。
　特に白色の場合，色合いを変えることで昼光色，電燈色等部屋の雰囲気まで変化するため色調を設計通りに作成することが重要である。
【０００５】
　また，各ＬＥＤごとに時間経過による各ＬＥＤの劣化スピードの違いにより，長年の使用により色彩や色バランスに変化が生じ，発光色の色調が変化するという問題もあった。
　この経年変化に対応するためには，光強度モニター素子を各ＬＥＤごとに設け，各ＬＥＤの光強度を常に測定しながら，各ＬＥＤの発光強度を調整することにより，発光色の品質を維持することが望ましいと考えられる。しかし，各ＬＥＤごとに別々に光強度モニター素子を設けていたのでは，光強度をモニターするための部品点数が増加し，回路も複雑化し，さらにパッケージ寸法が大きくなるので，特に小型化を要求される用途には適さない。
【０００６】
　そこで，この発明は，以上のような事情を考慮してなされたものであり，ＲＧＢ１つずつのＬＥＤ（発光素子）と，光強度検出用の１つのフォトトランジスタ（光検出素子）を設けることにより，色バランスの調整をしながら発光色の品質を維持し，小型化が可能な発光装置を提供することを課題とする。」
　
　１ｃ）「【００１６】
　図２は，図１の表示装置を回路記号で表わしたものである。各ＬＥＤチップに電流を流すことによりそれぞれの色の光が発光されると，その光は全方位に進行するが，その光のうちの一部が１つのフォトトランジスタ３により検出されることになる。
　また，フォトトランジスタ３は１つであるので，同時に複数のＬＥＤの光を検出させることはなく，時分割で順次ＬＥＤを発光させるように制御する。
【００１７】
　すなわち，一時には，１つのＬＥＤのみを発光させ，フォトトランジスタ３では，その１つのＬＥＤからの光を検出するようにする。
　フォトトランジスタ３に接続された配線パターン（４ｂ）も，前記した制御部１１に接続され，配線パターン４ｂを介して出力された３つのＬＥＤそれぞれの光強度の検出信号を解析することにより，各ＬＥＤに流す電流を調整する。
【００１８】
　図４に，この発明のＬＥＤ発光，光強度検出，電流制御の概略構成図を示す。
　図４において，Ｒ，Ｇ，Ｂ各色の発光は時分割で時間的に重なることなく行われ，検出信号ＳＲ，ＳＧ，ＳＢは，時間的にずれた信号として，制御部１１に入力される。制御部１１では，検出信号ＳＲ，ＳＧ，ＳＢの大きさを解析し，設計どうりの白色光が出力されるようにＲＧＢ３つの発光強度を調整し，これに対応した電流（ｉａ，ｉｂ，ｉｃ）を時間をずらして出力する。
　制御部１１は，発光のタイミングを制御する発光制御部と，フォトトランジスタから入力される検出信号を解析して光強度に対応する電流の調整量を算出する光強度調整部の機能を備えたものである。
【００１９】
　図５に，この発明の電流制御のタイムチャートの一実施例を示す。
　図５において，赤色ＬＥＤ２ａの発光は０から時刻Ｔ１までの間に行い，その時間内の時刻ｔ１〜ｔ１'のときにフォトトランジスタ３を動作させて検出信号ＳＲを出力させる。
　また，緑色ＬＥＤ２ｂの発光は時刻Ｔ１からＴ２までの間に行い，その時間内の時刻ｔ２からｔ２'のときにフォトトランジスタ３を動作させて検出信号ＳＧを出力させる。
【００２０】
　さらに，青色ＬＥＤ２ｃの発光は時刻Ｔ２からＴ３までの間で，その時間内のｔ３〜ｔ３'のときに検出信号ＳＢを出力させる。
　ここで，たとえば，各ＬＥＤの発光時間は５ｍｓｅｃ程度とし，フォトトランジスタ３の検出時間は３ｍｓｅｃ程度とすればよい。
　このような発光制御をする場合，ある瞬間には，どれか１色しか発光していないが，１５ｍｓｅｃ程度のサイクルで順次発光させても，人間の目には残像効果があるので，Ｒ，Ｇ，Ｂの３つの光の合成光により人間の目には白色が発光されているように見える。
【００２１】
　また，検出信号ＳＲ，ＳＧ，ＳＢは時間的にずれた信号として，順次，制御部１１に入力される。
　制御部１１では，基準となる検出信号強度の値（基準強度値）を，各色ごとに予め記憶しておき，この基準強度値と入力された検出信号との差を求め，この差と一対一に対応する電流補正値を算出する。
　次の発光のタイミングのときに，この電流補正値を考慮した電流が，各色のＬＥＤにそれぞれ与えられる。
　このように光強度をモニターすることにより電流値を制御しているので，常に設計時に定めた白色光を安定して得ることができる。」
　
　１ｄ）「【００３０】
　以上の実施例では，３つの発光素子を備えたものについて説明したが，発光素子の数はこれに限るものではない。
　たとえば，２つの発光素子を有するものや，４つ以上の発光素子を備えたものであってもよい。
　２つの発光素子を有する場合，たとえば，１つの赤色ＬＥＤチップと，１つの緑色ＬＥＤチップとを有する場合は，２つのＬＥＤの発光制御を行うことによって，少なくとも赤，橙，緑の３色の光を発光できる。また，各ＬＥＤの発光量を調整することにより，これら赤と緑とを適当に混合した中間色の光を発光させることができる。
　また，４色の発光素子を備える場合，たとえば，赤，青，緑，エメラルド色をそれぞれ発光するＬＥＤチップを有する場合，これら４つのＬＥＤの発光量を調整することによりさまざまな混合色の光を発光させることができる。」
　
　上記記載事項１ａないし１ｄ及び図面の記載によれば，引用例１には，次の発明（以下，「引用発明」という。）が記載されているといえる。
　「赤，緑，青の３つのＬＥＤと，光強度検出用の１つのフォトトランジスタを用いて，白色光など所定の色の安定した光を生成する発光装置であって，発光のタイミングを制御する発光制御部と，フォトトランジスタから入力される検出信号を解析して光強度に対応する電流の調整量を算出する光強度調整部とを備えた制御部１１の動作により，各ＬＥＤを時分割で順次発光させ，各ＬＥＤの発光時間内の所定の時間帯にフォトトランジスタを動作させ，各色ごとに予め記憶した基準強度値と該フォトトランジスタの検出信号との差を求め，この差に対応する電流補正値を算出して，次の発光のタイミングのときに，該電流補正値を考慮した電流を各ＬＥＤに与えるようにした発光装置。」
　
２．原査定の理由に引用され，本願の出願日（優先日）前に頒布された刊行物である引用例２には，次の事項が記載されている。
　２ａ）「【請求項２】前記駆動パルス生成手段は，前記直流電源電圧の変動に応じて波高値が変わる三角波出力回路と，前記三角波出力回路の三角波出力レベルが基準電圧を越えたときの出力信号と外部同期信号とを論理演算して駆動パルスを出力する演算回路とから構成される請求項１記載のランプ駆動回路。」
　
　２ｂ）「【００１８】このように，本実施例においては，駆動パルス生成回路１５において，電源電圧の変動分を検出し，この変動分に応じて外部同期信号Ｓ１に同期した駆動パルスＰＤの幅を変化させ，これによりスイッチング素子１２のオン，オフ時間を制御して，蛍光ランプ１３に供給される電力を一定にする構成にした」
　
３．周知技術として引用する，本願の出願日（優先日）前に頒布された刊行物である特開２００４−２４０５１０号公報（以下，「引用例３」という。）には，次の事項が記載されている。
　３ａ）「【００２８】各画像入力ユニット４の筐体５内には，主制御部（図示せず）からの外部同期信号に基づいてＬＥＤ７及び撮像素子１０を制御する読み出し制御部１２が配置されている。主制御部は，搬送ユニット３によって各ラインＬｎのチップ部品２が各筐体５の真上位置まで搬送されたときに，各読み出し制御部１２に外部同期信号を送出する。すると，各読み出し制御部１２は，図５に示すように，各ＬＥＤ７（ＬＥＤ７ａ，７ｂ…）に発光タイミング信号を同時に送出すると共に，各撮像素子１０（撮像素子１０ａ，１０ｂ…）に撮像タイミング信号を同時に送出する。これにより，各照明部６によって各チップ部品２が同時に照らされると共に，各撮像素子１０によって各チップ部品２が同時に撮像される。そして，各チップ部品２の画像データは，部品検査ユニット（図示せず）に送られる。」
　
第６．対比・判断
　本願発明と引用発明とを対比する。
　引用発明の「ＬＥＤ」，「フォトトランジスタ」，「フォトトランジスタの検出信号」，「発光装置」は，それぞれ本願発明の「点光源」，「単一の広帯域光源モニタ」，「光度信号値」，「照明輝度色彩管理システム」に相当する。
　引用発明は，各色ごとに予め記憶した基準強度値を用いて各ＬＥＤに与える電流を補正するものであるから，本願発明における「目標輝度／色値に従って点光源の照明輝度を調節する」との要件を備えるといえる。
　引用発明は，制御部１１が発光のタイミングを制御する発光制御部を備え，各ＬＥＤを時分割で順次発光させるものであるから，本願発明における「点光源の制御タイミング」「を調整し，各制御タイミングが異なる複数の制御タイミングを生成する」及び「該対応する点光源を駆動するために各制御タイミングに応えて駆動電流を発生させ」との要件を備える。
　引用発明は，各ＬＥＤの発光時間内の所定の時間帯にフォトトランジスタを動作させるものであるから，本願発明における「サンプリングタイミングを調整し」及び「サンプリングタイミングに応えて光度信号値のために特定のときに発光する該点光源を感知し，サンプリングするための，単一の広帯域光源モニタ」との要件を備える。
　引用発明は，各色ごとに予め記憶した基準強度値とフォトトランジスタの検出信号との差に対応する電流補正値を算出し，該電流補正値を考慮した電流を各ＬＥＤに与えるものであるから，本願発明における「輝度／色値と光度信号値の間の該差異に従って訂正済みの電流値を計算し，取得する」及び「訂正済みの電流に従って」「駆動電流を調節する」との要件を備える。
　そして，引用発明の「制御部１１」は，本願発明の「タイミングサンプリングコントローラ」，「計算装置」及び「電流調節器」に相当する。
　また，引用発明がＬＥＤのドライバを備えること，すなわち，引用発明が本願発明でいう「光源ドライバ」を備えることは明らかである。
　したがって，本願発明と引用発明は，本願発明の表記にしたがえば，
　「目標輝度／色値に従って点光源の照明輝度を調節するための照明輝度色彩管理システムであって，該点光源の制御タイミング及びサンプリングタイミングを調整し，各制御タイミングが異なる複数の制御タイミングを生成するためのタイミングサンプリングコントローラと，該対応する点光源を駆動するために各制御タイミングに応えて駆動電流を発生させ，したがって該点光源が別のときに発光するための光源ドライバと，該サンプリングタイミングに応えて光度信号値のために特定のときに発光する該点光源を感知し，サンプリングするための，単一の広帯域光源モニタと，該輝度／色値と光度信号値の間の該差異に従って訂正済みの電流値を計算し，取得するための計算装置と，該訂正済みの電流に従って該光源ドライバにより発生する該駆動電流を調節するための電流調節器とを備える照明輝度色彩管理システム。」の点で一致し，次の点で一応相違する。
　
［相違点］
　本願発明は，外部同期信号を受信し，タイミングサンプリングコントローラと計算装置を同期させるための同期装置を備えるのに対して，引用発明は，そのような同期装置を備えない点。
　
　上記相違点について検討する。
　本願発明において，タイミングサンプリングコントローラと計算装置を同期させるのは，所定の電流値（計算装置で計算される電流値）を用いた点光源の駆動を，所定の制御タイミング（タイミングサンプリングコントローラで調整される制御タイミング）で実行するために必要な手段と解される。
　引用発明の「制御部１１」は，本願発明でいう「タイミングサンプリングコントローラ」としての機能も，「計算装置」としての機能も備えているものであり，基準強度値とフォトトランジスタの検出信号との差に対応する電流補正値を算出して次の発光のタイミングのときに該電流補正値を考慮した電流をＬＥＤに与える，という制御を行っているのであるから，電流補正値の算出のタイミングとＬＥＤへの通電のタイミングを所定の関係で実行していることは明らかである。引用例１には，同期信号についての記載はないが，外部からの同期信号に基づいて制御の同期をとることは，引用例２や引用例３に示されるように，従来からよく知られた技術である。そうしてみると，引用発明において，例えば，発光のタイミングを制御する発光制御部と電流の調整量を算出する光強度調整部とを，一つの制御部１１内に設けるのではなく，それぞれを別の装置に設けるなど，必要な場合に，外部同期信号を用いて発光のタイミングの制御と電流の調整量の算出を行うようにすること，すなわち上記相違点は，周知技術を参酌することにより，当業者が容易に想到し得たことである。
　
　なお，請求人は，平成２３年４月２１日に提出した回答書において，請求項６，７，１０，１２を削除するとともに，請求項１及び請求項８を「広帯域光源モニタのフォトセンサの感知電圧を校正するように発光するために多様な波長で点光源を順次駆動することと，・・・を含む校正プロセス」と補正する対応を行いたいとしている。しかし，該校正プロセスは，審判請求書によれば，「単一広帯域光源モニタが赤の光源と，緑の光源と，青の光源との幾何学的中心に配置されていない」場合（請求項６）や「単一広帯域光源モニタ及び点光源が，二つの基板に個別に配置される」場合（請求項７）でも，正しい光度信号値を得ることができるという技術的意義をもつものと解されるところ，そのような技術的意義は，本願の願書に最初に添付された明細書には記載されていない。上記補正案のとおりに補正をする機会を与えるべき特別な事情は見出せない。
　
第７．むすび 
　以上のとおり，本願発明は，引用発明及び周知技術に基づいて当業者が容易に発明できたものであって，特許法第２９条第２項の規定により特許を受けることができないから，本願の他の請求項に係る発明について検討するまでもなく，本願は拒絶されるべきものである。
　したがって，原査定は妥当であり，結論のとおり審決する。